(57)【要約】【課題】        従来、気密性ファスナーを出入口に有する内側袋体を外側袋体に収容し、内側袋体の面積を大きくして加圧膨張させ、内側袋体が弛みや皺がよる状態で外側袋体に密着させていたが、内側袋体の気密性ファスナー部分に弛みや皺が生じる場合には、予想外の撓みや収縮や引っ張り力によってファスナー部分の気密性が維持されなくなる課題があった。【解決手段】     柔軟性を有すると共に供給した高圧気体に対して利用者の出入口が微通気性ファスアー１３を有する内側袋体１０を、通気性を有すると共に耐圧性を有する外側袋体１に収容し、内側袋体１０に加圧源から高圧気体を送り込み、加圧膨張状態で内側袋体１０の出入口の微通気性ファスナー１３の全体に渡って気体の流出圧力を付与し、内側袋体の気密性ファスナー１３部分に弛みや皺が生じるのを防止した高圧気体供給装置。【選択図】        図３
2009201564.tif 000002
【特許請求の範囲】
【請求項１】
折り畳み可能な柔軟性を有すると共に供給した高圧気体に対して利用者の出入口が全長に渡って微通気性を有する内側袋体と、内側袋体の出入口と連通する利用者の出入口を含めて通気性と折り畳み可能な柔軟性を有すると共に高圧気体の内圧に対して耐圧性を有する外側袋体とからなり、両袋体には、内側袋体を外側袋体で覆った状態で加圧源から高圧気体を送り込むことが可能な加圧機構を設けると共に、加圧状態で内側袋体の形状を外側袋体が維持可能に設けてなる高圧気体供給装置。
【請求項２】
請求項１に記載の高圧気体供給装置において、内側袋体の出入口に微通気性を有する微通気性ファスナーを設けてなる高圧気体供給装置。
【請求項３】
請求項２に記載の高圧気体供給装置において、微通気性ファスナーの周囲に伸張弾力性を有するファスナー取付袋部分を設けてなる高圧気体供給装置。
【請求項４】
請求項２又は３に記載の高圧気体供給装置において、内側袋体の微通気性ファスナーがファスナー全体に渡ってほぼ均等な通気性を有する高圧気体供給装置。
【請求項５】
請求項２、３又は４に記載の高圧気体供給装置において、加圧機構の加圧源から高圧気体を微通気性ファスナーの通気性を補って供給してなる高圧気体供給装置。
【請求項６】
請求項１乃至５のいずれかに記載の高圧気体供給装置において、外側袋体の出入口に耐圧性を有する耐圧性ファスナーを設けてなる高圧気体供給装置。
【請求項７】
請求項６に記載の高圧気体供給装置において、外側袋体のファスナーと内側袋体のファスナーとが直接に接しないように設けてなる高圧気体供給装置。
【請求項８】
請求項７に記載の高圧気体供給装置において、外側袋体と内側袋体のファスナーとの間に非通気性の膜体を設けてなる高圧気体供給装置。
【請求項９】
請求項１乃至８のいずれかに記載の高圧気体供給装置において、内側袋体が透明又は半透明の合成樹脂製の膜状体からなる高圧気体供給装置。
【請求項１０】
請求項９に記載の高圧気体供給装置において、内側袋体がビニール樹脂製の薄膜体からなる高圧気体供給装置。
【請求項１１】
請求項１乃至１０のいずれかに記載の高圧気体供給装置において、外側袋体が織物からなる高圧気体供給装置。
【請求項１２】
請求項１１に記載の高圧気体供給装置において、外側袋体が網状体からなる高圧気体供給装置。
【請求項１３】
請求項１乃至１２のいずれかに記載の高圧気体供給装置において、外側袋体が透視窓部を有する高圧気体供給装置。
【請求項１４】
請求項１乃至１３のいずれかに記載の高圧気体供給装置において、内側袋体と外側袋体との間に両者を着脱可能に固定する着脱部材を設けてなる高圧気体供給装置。
【請求項１５】
請求項１４に記載の高圧気体供給装置において、着脱部材を内側袋体と外側袋体の出入口の付近に設けてなる高圧気体供給装置。
【請求項１６】
請求項１４又は１５に記載の高圧気体供給装置において、着脱部材が面ファスナーからなる高圧気体供給装置。
【請求項１７】
請求項１乃至１６のいずれかに記載の高圧気体供給装置において、内側袋体と外側袋体とに合致する貫通孔を設け、貫通孔に嵌合するパイプ状の連結部材によって内外の袋体を組み立て可能に設けると共に、連結部材によって加圧源からの高圧気体を供給してなる高圧気体供給装置。
【請求項１８】
請求項１７に記載の高圧気体供給装置において、連結部材によって内側袋体内の高圧気体を排出制御してなる高圧気体供給装置。
【請求項１９】
請求項１７又は１８に記載の高圧気体供給装置において、連結部材によって内側袋体内の酸素濃度、気圧、温度、湿度等の袋体内の気体検出機構を設けてなる高圧気体供給装置。
【請求項２０】
請求項１乃至１９のいずれかに記載の高圧気体供給装置において、内側袋体及び外側袋体が内部に利用者が寝そべることができる横長筒状体からなり、内側袋体内に横長筒状体の両端部に位置して内接する中空リング体を設けると共に、前記中空リング体の間に中空敷物体を収容してなる高圧気体供給装置。
【請求項２１】
請求項２０に記載の高圧気体供給装置において、外側袋体の出入口の両側に長手方向に出入口支持枠体を設けてなる高圧気体供給装置。
【請求項２２】
請求項２０又は２１に記載の高圧気体供給装置において、外側袋体の外側の両側に位置して長手方向に支持中空体を設けてなる高圧気体供給装置。
【請求項２３】
請求項２２に記載の高圧気体供給装置において、支持中空体を、装置本体を載置する柔軟な連結帯の両側に連結して設けてなる高圧気体供給装置。
【請求項２４】
請求項２乃至２３のいずれかに記載の高圧気体供給装置において、微通気性ファスナーの微通気性が毎分１０リットル乃至１２０リットルからなる高圧気体供給装置。
【請求項２５】
請求項２４に記載の高圧気体供給装置において、微通気性ファスナーの微通気性が毎分３０リットル乃至５０リットルからなる高圧気体供給装置。
【請求項２６】
請求項１乃至２５のいずれかに記載の高圧気体供給装置において、内側袋体の内部が１．１気圧乃至１．５気圧で酸素濃度が２５％乃至５０％からなる高圧気体供給装置。
【発明の詳細な説明】
【技術分野】
【０００１】
本発明は、大気圧以上の高い圧力で空気以上の酸素濃度の濃い気体を人又は動物に供給して、心身の疲労の回復、美容および健康の増進、新陳代謝の増進によるダイエット効果、生活習慣病の予防、視力の回復向上等を期待することができる高圧気体供給装置に関する。
【背景技術】
【０００２】
従来、高山病治療装置として、通気性と高圧気体の内圧に対して耐圧性を有する強度の大きい外側袋体内に、高圧気体に対して非通気性を有する柔軟な強度の小さい内側袋体を収容して、内側袋体内に加圧源から高圧気体を送り込み、膨らんだ内側袋体の圧力及び形状を外側袋体が負担し維持するようになした高圧気体供給装置は知られている（特許文献１参照。）。
【０００３】
この場合、強度的に弱い内側袋体に圧力が加わらないように内側袋体を外側袋体より大きくして、内側袋体が弛みを有する状態で外側袋体内に密着して形状を維持していた。
【０００４】
また、治療室内の内圧を高圧と低圧に交互に切り替えうる切り替え手段を備え、全体が非通気性のＥＶＡ樹脂、ウレタン、ナイロン、塩化ビニルからなる一体の可撓性のチャンバからなる高気圧式酸素供給装置において、患者の出入口部分を２重構造にし、２重構造の内側の面は外側の面よりも大きい面積で形成し、加圧膨張状態で内側の面が皺がよる状態で外側の面に密着して内側の面に圧力が加わらないように構成した高圧気体供給装置も知られている（特許文献２参照。）。
【０００５】
【特許文献１】特公平４−２０３５４号公報
【特許文献２】特許第３７２００３２号公報
【発明の開示】
【発明が解決しようとする課題】
【０００６】
従来装置の場合、前述のように、非通気性の内側袋体又は内側面に加圧膨張状態で圧力が加わらないから、内側袋体又は内側面に設けた患者の出入口の気密ファスナーには膨張による加圧力が加わらない効果はあるが、内側袋体又は内側面は外側袋体又は外側面より面積を大きく構成してあるから、加圧膨張状態で内側袋体又は内側面が弛みや皺がよる状態で外側袋体又は外側面に密着し、患者の出入口に設けた気密ファスナー部分に弛みや皺が生じる場合には、予想外の収縮や引っ張り応力によって気密ファスナー部分の気密性が維持されなくなる課題があった。
【０００７】
また、出入口の気密ファスナー部分に弛みや皺が生じる場合には、予想外の収縮や引っ張り応力によって気密ファスナー部分の開き操作が阻害され、長期使用によって疲労が蓄積し、耐久性や気密性が維持されなくなる課題があった。
【課題を解決するための手段】
【０００８】
そこで、本発明は、請求項１に記載のように、折り畳み可能な柔軟性を有すると共に供給した高圧気体に対して利用者の出入口が微通気性を有する内側袋体と、内側袋体の出入口と連通する利用者の出入口を含めて通気性と折り畳み可能な柔軟性を有すると共に高圧気体の内圧に対して耐圧性を有する外側袋体とからなり、両袋体には、内側袋体を外側袋体で覆った状態で加圧源から高圧気体を送り込むことが可能な加圧機構を設けると共に、加圧状態で内側袋体の形状を外側袋体が維持可能に設けてなる高圧気体供給装置を提供するものである。
【０００９】
また、本発明は、請求項２に記載のように、請求項１に記載の高圧気体供給装置において、内側袋体の出入口に微通気性を有する微通気性ファスナーを設けてなる高圧気体供給装置を提供するものである。
【００１０】
また、本発明は、請求項３に記載のように、請求項１又は２に記載の高圧気体供給装置において、微通気性ファスナーの周囲に伸張弾力性を有するファスナー取付袋部分を設けてなる高圧気体供給装置を提供するものである。
【００１１】
また、本発明は、請求項４に記載のように、請求項２又は３に記載の高圧気体供給装置において、内側袋体の微通気性ファスナーがファスナー全体に渡ってほぼ均等な通気性を有する高圧気体供給装置を提供するものである。
【００１２】
また、本発明は、請求項５に記載のように、請求項２、３又は４に記載の高圧気体供給装置において、加圧機構の加圧源から高圧気体を微通気性ファスナーの通気性を補って供給してなる高圧気体供給装置を提供するものである。
【００１３】
また、本発明は、請求項６に記載のように、請求項１乃至５のいずれかに記載の高圧気体供給装置において、外側袋体の出入口に耐圧性を有する耐圧性ファスナーを設けてなる高圧気体供給装置を提供するものである。
【００１４】
また、本発明は、請求項７に記載のように、請求項６に記載の高圧気体供給装置において、外側袋体のファスナーと内側袋体のファスナーとが直接に接しないように設けてなる高圧気体供給装置を提供するものである。
【００１５】
また、本発明は、請求項８に記載のように、請求項７に記載の高圧気体供給装置において、外側袋体と内側袋体のファスナーとの間に非通気性の膜体を設けてなる高圧気体供給装置を提供するものである。
【００１６】
また、本発明は、請求項９に記載のように、請求項１乃至８のいずれかに記載の高圧気体供給装置において、内側袋体が透明又は半透明の合成樹脂製の膜状体からなる高圧気体供給装置を提供するものである。
【００１７】
また、本発明は、請求項１０に記載のように、請求項９に記載の高圧気体供給装置において、内側袋体がビニール樹脂製の薄膜体からなる高圧気体供給装置を提供するものである。
【００１８】
また、本発明は、請求項１１に記載のように、請求項１乃至１０のいずれかに記載の高圧気体供給装置において、外側袋体が織物からなる高圧気体供給装置を提供するものである。
【００１９】
また、本発明は、請求項１２に記載のように、請求項１１に記載の高圧気体供給装置において、外側袋体が網状体からなる高圧気体供給装置を提供するものである。
【００２０】
また、本発明は、請求項１３に記載のように、請求項１乃至１２のいずれかに記載の高圧気体供給装置において、外側袋体が透視窓部を有する高圧気体供給装置を提供するものである。
【００２１】
また、本発明は、請求項１４に記載のように、請求項１乃至１３のいずれかに記載の高圧気体供給装置において、内側袋体と外側袋体との間に両者を着脱可能に固定する着脱部材を設けてなる高圧気体供給装置を提供するものである。
【００２２】
また、本発明は、請求項１５に記載のように、請求項１４に記載の高圧気体供給装置において、着脱部材を内側袋体と外側袋体の出入口の付近に設けてなる高圧気体供給装置を提供するものである。
【００２３】
また、本発明は、請求項１６に記載のように、請求項１４又は１５に記載の高圧気体供給装置において、着脱部材が面ファスナーからなる高圧気体供給装置を提供するものである。
【００２４】
また、本発明は、請求項１７に記載のように、請求項１乃至１６のいずれかに記載の高圧気体供給装置において、内側袋体と外側袋体とに合致する貫通孔を設け、貫通孔に嵌合するパイプ状の連結部材によって内外の袋体を組み立て可能に設けると共に、連結部材によって加圧源からの高圧気体を供給してなる高圧気体供給装置を提供するものである。
【００２５】
また、本発明は、請求項１８に記載のように、請求項１７に記載の高圧気体供給装置において、連結部材によって内側袋体内の高圧気体を排出制御してなる高圧気体供給装置を提供するものである。
【００２６】
また、本発明は、請求項１９に記載のように、請求項１７又は１８に記載の高圧気体供給装置において、連結部材によって内側袋体内の酸素濃度、気圧、温度、湿度等の袋体内の気体検出機構を設けてなる高圧気体供給装置を提供するものである。
【００２７】
また、本発明は、請求項２０に記載のように、請求項１乃至１９のいずれかに記載の高圧気体供給装置において、内側袋体及び外側袋体が内部に利用者が寝そべることができる横長筒状体からなり、内側袋体内に横長筒状体の両端部に位置して内接する中空リング体を設けると共に、前記中空リング体の間に中空敷物体を収容してなる高圧気体供給装置を提供するものである。
【００２８】
また、本発明は、請求項２１に記載のように、請求項２０に記載の高圧気体供給装置において、外側袋体の出入口の両側に長手方向に出入口支持枠体を設けてなる高圧気体供給装置を提供するものである。
【００２９】
また、本発明は、請求項２２に記載のように、請求項２０又は２１に記載の高圧気体供給装置において、外側袋体の外側の両側に位置して長手方向に支持中空体を設けてなる高圧気体供給装置を提供するものである。
【００３０】
また、本発明は、請求項２３に記載のように、請求項２２に記載の高圧気体供給装置において、支持中空体を、装置本体を載置する柔軟な連結帯の両側に連結して設けてなる高圧気体供給装置を提供するものである。
【００３１】
また、本発明は、請求項２４に記載のように、請求項２乃至２３のいずれかに記載の高圧気体供給装置において、微通気性ファスナーの微通気性が毎分１０リットル乃至１２０リットルからなる高圧気体供給装置を提供するものである。
【００３２】
また、本発明は、請求項２５に記載のように、請求項２４に記載の高圧気体供給装置において、微通気性ファスナーの微通気性が毎分３０リットル乃至５０リットルからなる高圧気体供給装置を提供するものである。
【００３３】
また、本発明は、請求項２６に記載のように、請求項１乃至２５のいずれかに記載の高圧気体供給装置において、内側袋体の内部が１．１気圧乃至１．５気圧で酸素濃度が２５％乃至５０％からなる高圧気体供給装置を提供するものである。
【発明の効果】
【００３４】
本発明に係る高圧気体供給装置によれば、請求項１に記載のように、折り畳み可能な柔軟性を有すると共に供給した高圧気体に対して利用者の出入口が微通気性を有する内側袋体と、内側袋体の出入口と連通する利用者の出入口を含めて通気性と折り畳み可能な柔軟性を有すると共に高圧気体の内圧に対して耐圧性を有する外側袋体とからなり、両袋体には、内側袋体を外側袋体で覆った状態で加圧源から高圧気体を送り込むことが可能な加圧機構を設けると共に、加圧状態で内側袋体の形状を外側袋体が維持可能に設けてなる構成を有することにより、内側袋体の加圧膨張時に微通気性の利用者の出入口部分は、微流出する気体の流出圧力によって形を整えられて外側袋体に密着するから、加圧膨張状態で内側袋体が弛みや皺がよる状態で外側袋体に密着したとしても、利用者の出入口部分には弛みや皺が生じないから、予想外の収縮や引っ張り応力によって気密性が阻害される恐れがなくなる効果がある。
【００３５】
また、出入口部分に弛みや皺が生じないから、出入口に設けたファスナーなどの開き操作が円滑にでき、長期使用によっても耐久性や気密性が維持される効果がある一方、出入口からの内部気体の微流出によって内側袋体から外側袋体に加わる圧力を緩和することができると共に、内側袋体の内部気体の流動と換気ができる効果がある。
【００３６】
また、本発明は、請求項２に記載のように、請求項１に記載の高圧気体供給装置において、内側袋体の出入口に微通気性を有する微通気性ファスナーを設けてなる構成を有することにより、出入口の開閉を円滑にする効果がある。
【００３７】
また、本発明は、請求項３に記載のように、請求項１又は２に記載の高圧気体供給装置において、微通気性ファスナーの周囲に伸張弾力性を有するファスナー取付袋部分を設けてなる構成を有することにより、内側袋体を加圧膨張するときに微通気性ファスナーに長手方向に直線的に伸張しやすい伸張弾力性を付与することができる効果がある。
【００３８】
また、本発明は、請求項４に記載のように、請求項２又は３に記載の高圧気体供給装置において、内側袋体の微通気性ファスナーがファスナー全体に渡ってほぼ均等な通気性を有する構成を有することにより、微通気性によるファスナー全体の耐圧性を緩和することができると共に、均等な微通気性により排気音を微弱にして、集中的な排気音による不快感を緩和することができる効果がある。
【００３９】
また、本発明は、請求項５に記載のように、請求項２、３又は４に記載の高圧気体供給装置において、加圧機構の加圧源から高圧気体を微通気性ファスナーの通気性を補って供給してなる構成を有することにより、高圧気体状態を維持しながら微通気性ファスナーによって換気することができる効果がある。
【００４０】
また、本発明は、請求項６に記載のように、請求項１乃至５のいずれかに記載の高圧気体供給装置において、外側袋体の出入口に耐圧性を有する耐圧性ファスナーを設けてなる構成を有することにより、外側袋体の出入口を通気性のある耐圧性と操作性に優れた耐久性ファスナーで支持することができる効果がある。
【００４１】
また、本発明は、請求項７に記載のように、請求項６に記載の高圧気体供給装置において、外側袋体のファスナーと内側袋体のファスナーとが直接に接しないように設けてなる構成を有することにより、密着状態において互いにファスナーの開閉を阻害しない効果がある。
【００４２】
また、本発明は、請求項８に記載のように、請求項７に記載の高圧気体供給装置において、外側袋体と内側袋体のファスナーとの間に非通気性の膜体を設けてなる構成を有することにより、内側袋体の微通気性ファスナーが非通気性の膜体を介して外側袋体に密着し、密着後の非通気性を増強する効果がある。
【００４３】
また、本発明は、請求項９に記載のように、請求項１乃至８のいずれかに記載の高圧気体供給装置において、内側袋体が透明又は半透明の合成樹脂製の膜状体からなる構成を有することにより、内側袋体が透明又は半透明の合成樹脂製の膜状体からなる構成を有することより、窓を設けることなく内外から相手側を透視することができる効果がある。
【００４４】
また、本発明は、請求項１０に記載のように、請求項９に記載の高圧気体供給装置において、内側袋体がビニール樹脂製の薄膜体からなる構成を有することにより、内外から反対側を透視できる透明性があり、非通気性、耐圧性があり、薄く軽量で小さく折り畳んで移動することが容易にできる内側袋体を得られる効果がある。
【００４５】
また、本発明は、請求項１１に記載のように、請求項１乃至１０のいずれかに記載の高圧気体供給装置において、外側袋体が織物からなる構成を有することにより、軽量、柔軟で強度の大きい外側袋体を得られる効果がある。
【００４６】
また、本発明は、請求項１２に記載のように、請求項１１に記載の高圧気体供給装置において、外側袋体が網状体からなる構成を有することにより、軽量、柔軟で強度の大きい外側袋体を得られる効果がある。
【００４７】
また、本発明は、請求項１３に記載のように、請求項１乃至１２のいずれかに記載の高圧気体供給装置において、外側袋体が透視窓部を有する構成を有することにより、内外から反対側を観察することができる効果がある。
【００４８】
また、本発明は、請求項１４に記載のように、請求項１乃至１３のいずれかに記載の高圧気体供給装置において、内側袋体と外側袋体とに互いに着脱可能に固定する着脱部材を設けてなる構成を有することにより、組み立て時や空気排出後に内外の袋体を互いに着脱可能に固定して、主として互いの出入口がずれないようにすることができる効果がある。
【００４９】
また、本発明は、請求項１５に記載のように、請求項１４に記載の高圧気体供給装置において、着脱部材を内側袋体と外側袋体の出入口の付近に設けてなる構成を有することにより、互いの出入口がずれないように合致させることができる効果がある。
【００５０】
また、本発明は、請求項１６に記載のように、請求項１４又は１５に記載の高圧気体供給装置において、着脱部材が面ファスナーからなる構成を有することにより、着脱面をずらせて着脱することができるから着脱部材の面積の大小と配置と着脱操作を容易にする効果がある。
【００５１】
また、本発明は、請求項１７に記載のように、請求項１乃至１６のいずれかに記載の高圧気体供給装置において、内側袋体と外側袋体とに合致する貫通孔を設け、貫通孔に嵌合するパイプ状の連結部材によって内外の袋体を組み立て可能に設けると共に、連結部材によって加圧源からの高圧気体を供給してなる構成を有することにより、内側袋体と外側袋体とを貫通孔に嵌合するパイプ状の連結部材によって内外の袋体を容易に組み立てることができると共に、連結部材によって加圧源からの高圧気体を内側袋体内に供給して一体に装置を膨張することができる効果がある。
【００５２】
また、本発明は、請求項１８に記載のように、請求項１７に記載の高圧気体供給装置において、連結部材によって内側袋体内の高圧気体を排出制御してなる構成を有することにより、装置を組み立てる連結部材を利用して装置の気圧や換気を制御することができる効果がある。
【００５３】
また、本発明は、請求項１９に記載のように、請求項１７又は１８に記載の高圧気体供給装置において、連結部材によって内側袋体内の酸素濃度、気圧、温度、湿度等の袋体内の気体検出機構を設けてなる構成を有することにより、装置を組み立てる連結部材を利用して装置内の酸素濃度、気圧、温度、湿度を検出して制御することができる効果がある。
【００５４】
また、本発明は、請求項２０に記載のように、請求項１乃至１９のいずれかに記載の高圧気体供給装置において、内側袋体及び外側袋体が内部に利用者が寝そべることができる横長筒状体からなり、内側袋体内に横長筒状体の両端部に位置して内接する中空リング体を設けると共に、前記中空リング体の間に中空敷物体を収容してなる構成を有することにより、内側袋体内に中空リング体と中空敷物体を収容して膨らませることによって、横長筒状体の装置本体を出入口を開いた状態で組み立て、形成することができ、利用者が袋体内に楽に横臥することができると共に、出入口から自由に出入りすることができる効果がある。
【００５５】
また、本発明は、請求項２１に記載のように、請求項２０に記載の高圧気体供給装置において、外側袋体の出入口の両側に長手方向に出入口支持枠体を設けてなる構成を有することにより、中空リング体と中空敷物体を収容して膨らませることによって成形した横長筒状体の装置本体において、出入口を開いた状態で出入口支持枠体によって外側袋体の出入口を確実に支持することができるから、利用者が袋体内に楽に横臥することができると共に、出入口から自由に出入りすることができる効果がある。
【００５６】
また、本発明は、請求項２２に記載のように、請求項２０又は２１に記載の高圧気体供給装置において、外側袋体の外側の両側に位置して長手方向に支持中空体を設けてなる構成を有することにより、横長筒状体からなる装置本体を転がらないように支持中空体によって支持することができる効果がある。
【００５７】
また、本発明は、請求項２３に記載のように、請求項２２に記載の高圧気体供給装置において、支持中空体を、装置本体を載置する柔軟な連結帯の両側に連結して設けてなる構成を有することにより、連結帯で連結された支持中空体の間の前記連結帯の上に横長筒状体からなる装置本体を載置することによって、支持中空体を装置本体の両側に容易に設置することができる効果がある。
【００５８】
また、本発明は、請求項２４に記載のように、請求項２乃至２３のいずれかに記載の高圧気体供給装置において、微通気性ファスナーの微通気性が毎分１０リットル乃至１２０リットルからなる構成を有することにより、内側袋体の気圧を所定に維持すべく、供給する富酸素高圧気体の酸素濃度と供給量に対応して種々の通気性ファスナーを採用することができる効果がある。
【００５９】
また、本発明は、請求項２５に記載のように、請求項２４に記載の高圧気体供給装置において、微通気性ファスナーの微通気性が毎分３０リットル乃至５０リットルからなる構成を有することにより、装置本体を酸素富化装置として富酸素高圧気体を毎分３０乃至４０リットル供給することで排気調整弁等を用いることなくバランスさせることができる効果がある。
【００６０】
また、本発明は、請求項２６に記載のように、請求項１乃至２５のいずれかに記載の高圧気体供給装置において、内側袋体の内部が１．１気圧乃至１．５気圧で酸素濃度が２５％乃至５０％からなる構成を有することにより、装置本体を酸素富化装置として提供することができる効果がある。
【発明を実施するための最良の形態】
【００６１】
以下図示する実施例のより本発明を説明する。
【実施例１】
【００６２】
図１に記載の実施例において、１は通気性と折り畳み可能な柔軟性を有すると共に高圧気体の内圧に対して耐圧性を有する外側袋体で、帆布、ナイロンの強化繊維を含む織物、網状体等の軽量で引っ張り強度の大きい素材からなり、中に人が横臥して入れる横長胴部２と前後面部３で封鎖した横長筒状体の形状をなしている。
【００６３】
横長胴部２の上面には長手方向に耐久性ファスナー５によって開閉する出入口が設けてある。６は出入口の両側に長手方向に設けた布状の補強材である。なお、補強材６は横長胴部２の下面にも対象的に設けてある。
【００６４】
また、図では省略したが、横長胴部２の人間が横臥したときに顔の横に位置する側面部に、耐圧性の透明合成樹脂からなる透視窓部を設けてある。
【００６５】
実施例の場合、前後面部３は前面と後面とが同じ円形状からなると共に、実質的に横長胴部２と同じ素材からなり、図５に記載のように、前後面部３の周縁部と横長胴部２の端部とを引っ張り強度の大きいナイロンの強化繊維等からなる糸状の連結固定部材４によって一体に固定してあり、内圧を受けてほぼ球状に膨らむこととなる。
【００６６】
図２において、１０は折り畳み可能な柔軟性を有すると共に、微通気性ファスナー１３の出入口以外は非通気性を有する内側袋体で、実施例の場合、透明又は半透明の薄いビニール樹脂等の合成樹脂材からなり、窓を設けることなく内外から反対側を透視できると共に、軽量で小さく折り畳んで移動することができる。
【００６７】
内側袋体１０は外側袋体１に比較してやや大きめな形状からなり、横長胴部１１と前後面部１２とは非通気性の同一素材の合成樹脂を熔着して一体に連結してある。また、横長胴部１１の上面には外側袋体１とほぼ同じ位置に微通気性ファスナー１３で開閉する出入口が設けてある。
【００６８】
内側袋体１０の出入口に設けた微通気性ファスナー１３は、内側袋体１０を加圧膨張する際に微流出する気体の流出圧力により膨出して皺や弛みを除去され、外側袋体１に対して形を整えられて密着するから、加圧膨張状態で内側袋体１０の一部が弛みや皺がよる状態で外側袋体に密着したとしても、利用者の出入口部分には弛みや皺が生じないから、予想外の収縮や引っ張り応力によって気密性が阻害される恐れがなく、且つ、出入口部分に弛みや皺が生じないから、出入口に設けた微通気性ファスナー１３の開き操作が円滑にでき、長期使用によっても耐久性や気密性が維持される効果がある一方、出入口からの内部気体の微流出によって内側袋体から外側袋体に加わる圧力を緩和することができると共に、内側袋体の内部気体の流動と換気ができる効果がある。
【００６９】
また、本発明は、前記の高圧気体供給装置において、微通気性ファスナーの微通気性が毎分１０リットル乃至１２０リットルからなる構成を有する。内側袋体の気圧を微通気性ファスナーの微通気性（排気量）に合わせて、大気圧が１．０気圧で酸素濃度が約２１％なのに対して、利用者の酸素必要濃度に合わせて、所定に維持すべく、供給する富酸素高圧気体の供給量を供給することによって、種々の通気性ファスナーを採用することができる。
【００７０】
また、本発明は、微通気性ファスナーの微通気性を毎分３０リットル乃至５０リットルからなる構成にすることにより、装置本体を酸素富化装置として富酸素高圧気体を毎分３０乃至４０リットル供給することで排気調整弁等を頻繁に用いることなく好ましくバランスさせることができる。
【００７１】
なお、この場合。排気調整弁は、酸素富化装置として、毎分０乃至２００リットルの排気調整ができれば好ましい。
【００７２】
また、本発明は、前載の高圧気体供給装置において、内側袋体の内部が１．１気圧乃至１．５気圧で酸素濃度が２５％乃至５０％からなる構成にすることにより、装置本体を酸素富化装置として提供することができる。
【００７３】
また、前記高圧気体供給装置は、成人の大人用であれば、横幅及び高さが約８０ｃｍ乃至１００ｃｍ等、長さが１９０ｃｍ乃至２２０ｃｍ等に設定でき、子供用或いは犬等用であれば、横幅及び高さが約６０ｃｍ乃至１００ｃｍ等、長さが１００ｃｍ乃至１８０ｃｍ等に設定でき、また、幼児用或いは猫等用であれば、横幅及び高さが約４０ｃｍ乃至１００ｃｍ等、長さが５０ｃｍ乃至１２０ｃｍ等に設定できる。
【実施例２】
【００７４】
図７又は図８に記載の実施例の場合、内側袋体１０の内部には、横長胴部２の両端部に位置して内接する中空リング体３０を設けると共に、前記中空リング体３０の間に中空敷物体３１を一体に収容してある。中空リング体３０及び中空敷物体３１は、それぞれ手動又は電動の空気ポンプで膨らませることができ、内側袋体１０内に中空リング体３０と中空敷物体３１を収容して膨らませることによって、横長筒状体からなる装置本体５０を出入口を開いた状態で組み立て状態に維持することができる。また、出入口を開いた状態で維持することができるから、利用者が内及び外側の袋体１，１０からかなる装置本体内に自由に出入りすることができると共に、一端部を頭位置にして楽に横臥することができる。
【実施例３】
【００７５】
図９に記載の実施例において、外側袋体１の耐久性ファスナー５の両側には、補強材６と平行して長手方向に棒状の出入口支持枠体２８を設けあり、前記中空リング体３０と中空敷物体３１を収容して膨らませることによって成形した横長筒状体の装置本体５０において、出入口を開いた状態で出入口支持枠体２８によって外側袋体１の出入口を確実に支持することができるから、利用者が袋体内に楽に横臥することができると共に、出入口から自由に出入りすることができる。
【００７６】
出入口支持枠体２８は、外側袋体１に一体に取り付けた柔軟な中空取付枠内に中空な棒状体を差し込んで簡単に構成することができると共に、パイプ状の棒状体は伸縮自在な釣り竿又は折り畳み式の杖等のような伸縮構造を備えることが携帯、運搬する上で好ましい。
【実施例４】
【００７７】
図１０又は図１１に記載の実施例の場合、内側袋体１０と外側袋体１とに、互いに着脱可能に固定する着脱部材３２，３３を設けてあり、組み立て時や空気排出後に内外の袋体１，１０を互いに着脱可能に固定して、主として互いの出入口がずれないように構成してある。従って、着脱部材３２，３３は内側袋体１０と外側袋体１の出入口の付近に配設することが好ましく、互いの出入口がずれないように合致させることができる。
【００７８】
また、着脱部材３２，３３はボタンやフックにより定点的に互いに着脱する構成にすることもできるが、互いに着脱自在に掛合する多数のフックとループを備えた面ファスナーからなる構成にすることにより、着脱面をずらせて着脱することができるから着脱部材の面積の大小と配置と着脱操作を容易にする効果がある。
【実施例５】
【００７９】
なお、図１０において、３４は内側袋体１の微通気性ファスナー１３を予め一体に固着したファスナー取付袋部分で、個別に製作した内側袋体１０の横長胴部１１の部分と一体に接着又は溶着して設けてある。
【００８０】
ファスナー取付袋部分３４は、他の内側袋体１０の横長胴部１１の部分より大きい伸張弾力性を有する構成にして、内側袋体１を加圧膨張するときに微通気性ファスナー１３に長手方向に直線的に伸張しやすい伸張弾力性を付与することができる。ファスナー取付袋部分３４の伸張弾力性を付与する手段としては、ファスナー取付袋部分３４を弾力性の比較的大きい素材から製作する手段、同じ素材で他の袋部分より肉厚の大きい材料を使用して製作する手段を挙げることができる。
【００８１】
図１０の実施例の場合、そのファスナー取付袋部分３４上に面ファスナー３２を接着して設けてある。図では配置を省略したが、図１１に記載のように、面ファスナー３２に相対する外側袋体１の内側に面ファスナー３３が配設してある。
【実施例６】
【００８２】
また、図８，９又は１１に記載のように、装置本体５０の外側袋体１の横長胴部２の外側の両側に位置して、長手方向に支持中空体３５を設けてあり、横長筒状体からなる装置本体５０を横転しないように支持中空体３５によって支持することができるように構成してある。
【００８３】
実施例の場合、支持中空体３５は柔軟な膨張及び折り畳み可能な円柱状の袋体からなり、図１１に記載のように、外側袋体１に面ファスナー等によって直接に一体に取り付けることもできるが、図１２に記載のように、左右の支持中空体３５を平行に連結帯３６で連結する構成にすることによって、図８に記載のように、支持中空体３５の間の前記連結帯３６の上に横長筒状体からなる装置本体５０を載置することによって、支持中空体３５を装置本体５０の両側に容易に安定して設置することができる。
【実施例７】
【００８４】
また、本発明は、図１、２に記載のように、内側袋体１０の一前後面部１２と外側袋体１の一前後面部３には、組み立て時にほぼ一致する位置に任意個数の貫通孔１４、７が設けてある。また、貫通孔１４、７の周囲には密着して高い気密性が得られる合成樹脂膜等からなる補強枠材１５を一体に設け、貫通孔１４，７に強度的な厚みを付与する共に、同時に締め付け時にパッキング効果を付与するように構成してある。
【００８５】
また、図５、６に記載のように、柔軟な外側袋体１のファスナー５を開いて、柔軟な内側袋体１０をその中に収容し、前記貫通孔１４，７を合致させ、パイプ状の連結部材２０を嵌合することによって内外の袋体１０，１を組み立て可能に設け、連結部材２０によって加圧源からの高圧気体を供給するように構成してあり、内側袋体１と外側袋体１０とを貫通孔１４、７に嵌合するパイプ状の連結部材２０によって内外の袋体を組み立てることができると共に、連結部材２０によって加圧源からの高圧気体を内側袋体１０内に供給して一体に装置を膨張することができる。
【００８６】
また、連結部材２０は、図５又は図６に記載のごとく、中央に雌ネジ付きの連結孔２２を有する連結ボルト部２１の頭部を内側袋体１０の内側にしてボルトネジ部２３を貫通孔１４、７に通し、次いで、外側袋体１の外側からパッキング２４を介して連結ナット部２５をボルトネジ部２３にねじ込み、強固に締め付けて連結部材２０を貫通孔１４、７に固定し、連結孔２２の雌ネジ部にパイプ状の接続管部材２６の雄ネジ部２７を気密を維持するまで螺合して、貫通孔１４、７への取り付けが完了する。
【００８７】
この作業を、実施例では４個所で行うことによって、内側袋体１０と外側袋体１とを連結して組み立て、接続管部材２６に、図では省略した加圧源からの高圧気体の充填用パイプ、充填後の空気循環補助用の排気パイプ、装置内の酸素濃度、気圧、温度、湿度等の検出装置、使用後排気用パイプを取り付けて、本発明装置の使用準備は完了する。
【実施例８】
【００８８】
内側袋体１０内に利用者が寝そべることができる敷物や頭部を保護する枕等を収容し、利用者が横臥した状態で内側の微通気性ファスナー１３を閉じ、空気より酸素濃度のやや濃い高圧気体の充填を開始し、内側袋体１０が、図３に記載の状態を経てある程度の形をなす大きさに膨らんだところで外側袋体１の耐圧性ファスナー５を閉じて、図４に記載のように、内側袋体１内の気圧が周囲の大気圧より高い所定の圧力に達するまで膨張させると、内側袋体１０の加圧膨張によって微通気性ファスナー１３からなるの利用者の出入口部分は、微流出する気体の流出圧力によって膨出する方向に沿って形を整えられて外側袋体５に密着し、高圧気体の充填の継続により加圧膨張状態で所定の圧力で外側袋体１に安定して密着することとなる。
【００８９】
従って、微通気性ファスナー１３に予測を超える収縮や引っ張り応力が加わって変形した状態で外側袋体１に密着するようなことがないと共に、内側袋体１０から外側袋体１に不用意な高圧力が作用することを緩和することができることとなる。
【００９０】
また、出入口部分に弛みや皺が生じないから、出入口に設けた微通気性ファスナー１３の開き操作が円滑にでき、長期使用によっても耐久性や気密性が維持される一方、仰向けに横臥した利用者の顔の上方の微通気性ファスナー１３からの内部気体が微流出するから、内側袋体１０の内部気体の流動と換気が利用者の顔の上方で快適にできることとなる。
【００９１】
一定の高圧気体の供給は、微通気性ファスナー１３から気体が噴出を開始した後、利用者の様子を観察しながら、また、希望を聞きながら、所定時間経過するまで、所定の酸素濃度と気圧、温度、湿度を制御しながら継続されることとなる。
【００９２】
なお、通常の場合、人体は１気圧の酸素濃度２１％の大気から肺でガス交換をし、体内では炭酸ガスと交換した酸素を赤血球により細胞に運び酸素濃度の低い細胞とガス交換して肺に戻り、気圧が上がれば取り込む酸素濃度も上がり、酸素濃度６０％以上になると酸素中毒を起こすと言われているから、本願装置の供給気体の酸素濃度は、体に負担をかけない大気の酸素濃度２１％以上４０％未満で、３０〜３５％が好ましく、高圧時の気圧は１．２気圧から１．３気圧で、好ましくは１．２２気圧乃至１．２５気圧が好ましい。
【００９３】
図４の装置本体の加圧膨張状態において、内側袋体１０はその微通気性を越えて充填される気体を密封して膨張状態に向かって膨らもうとする状態にあるが、通気性があり耐圧性の外側袋体１は、図３で示す内外袋体の中間に存在する空気８を間に閉じ込めることなく外側袋体１から外気に自由に放出し、内側袋体１０の膨張力に抗して横長円筒形状を維持し、前後面部３が球形状に膨らむ程度で、内側袋体１０を内側に密着した状態で押し込め、装置外形を維持することとなる。
【実施例９】
【００９４】
従って、内側袋体１０は、内圧を受けて膨張した状態で外側袋体１より大きくなる膨張性を備えればよいから、単に内圧を受けない状態で外側袋体１より大きい条件を満たす場合だけではなく、内圧を受けない状態では外側袋体１より容量は小さいが、内圧を受けて膨張した状態では外側袋体１より大きくなる伸縮性又は伸展性を有する袋体であってもよいことになる。
【００９５】
そして、この場合も、内側袋体１０は膨張の途中の状態で外側袋体１に密着して膨張を止めた状態であるから、内側袋体のファスナー１３は周囲の袋体部分から強い引っ張り力を受けない状態に維持されることとなる。
【実施例１０】
【００９６】
外側袋体１の耐圧性ファスナー５は内側袋体１の膨張力を保持する耐圧性を必要とし、内側袋体１０の微通気性ファスナー１３は、供給される外気より高い所定圧力に空気を閉じ込めた状態に維持する所定の非通気性を必要とする。この供給される高圧気体との関係で通気し、内側袋体１０内を所定の圧力に維持することができる微通気性ファスナーを本発明では微通気性ファスナーと称する。
【００９７】
また、外側袋体１の耐圧性ファスナー５は、外側袋体１が通気性を有することにより、従来の袋体が非通気性の場合に比較して、内側袋体１０との間の空気８を排出するための通気性を必須の条件としないから、通気性に関して自由な構成のファスナーを採用することができる。
【００９８】
即ち、外側袋体１のファスナー５は通気性があってもなくても所定の耐圧性があればよいのに対して、内側袋体１０のファスナー１３は所定の耐圧性は必要であるが微通気性によって自らの耐圧性を緩和することができる。
【００９９】
そして、内側袋体１０の微通気性ファスナー１３がファスナー全体に渡ってほぼ均等な微通気性を有することより、微通気性によるファスナー全体の耐圧性を緩和することができると共に、均等な微通気性により排気音を微弱にして、ファスナー両端部や隙間からの集中的な排気音による不快感を緩和することができる。
【０１００】
また、この場合、加圧機構の加圧源から高圧気体を微通気性ファスナー１３の通気性を補って供給することより、高圧気体状態を維持しながら微通気ファスナー１３によって内部空気の換気をすることができる。
【実施例１１】
【０１０１】
また、本発明は、外側袋体１のファスナー５と内側袋体１０のファスナー１３とが直接に接しないように設けてあることより、互いにファスナーの開閉を阻害しないように構成してある。９，１６はそれぞれファスナー５，１３のスライダ取っ手である。
【０１０２】
この場合、外側袋体１のファスナー５と内側袋体１０のファスナー１３との配設位置をお互いが重なり合わない位置に外して設けることもできるが、実施例の場合、図３又は図４に記載のように、外側袋体１と内側袋体１０のファスナー５，１３の間に、長手方向に沿って、隔膜体１７を設けてある。隔膜体１７は外側袋体１のファスナー５の下側に沿って長手方向にファスナー５の両側から２重に延設してあり、それぞれ相対するファスナー５，１３に相対するように設けてある。
【０１０３】
また、この実施例の場合、隔膜体１７は非通気性の膜体からなり、内側袋体１０の微通気性ファスナー１３が非通気性の膜体を介して外側袋体１に密着し、加圧膨張時の非通気性を増強することができるように構成してある。
【０１０４】
なお、隔膜体１７はファスナー１３の上側に内側袋体１０に設けることも可能であり、この場合、ファスナー１３のスライダ取っ手１６を隔膜体１７が覆って外側から操作しにくくなるから、スライダ取っ手１６を内側袋体１０の内側に突出させて設け、中から利用者が開けることができるようにすることができる。
【０１０５】
しかし、ファスナー５，１３の配設位置をお互いが重なり合わない位置に外して設ける場合には、微通気性ファスナー１３に隔膜体１７を設ける必要はない。
【図面の簡単な説明】
【０１０６】
【図１】本発明装置の一実施例の要部を示す概略斜視図。
【図２】その一実施例の他の要部を示す概略斜視図。
【図３】図１の実施例の要部の一使用態様を縦断して示す概略縦断面図。
【図４】図１の実施例の要部の他の使用態様を縦断して示す概略縦断面図。
【図５】図１の実施例の一部の断面を示す概略断面図。
【図６】その一部を取り出して分解して示す概略分解斜視図。
【図７】本発明装置の一実施例の他の要部を示す概略斜視図。
【図８】図７の実施例の要部の一使用態様を縦断して示す概略縦断面図。
【図９】その一実施例の他の要部を示す概略斜視図。
【図１０】その他の実施例の要部を示す概略斜視図。
【図１１】図１０の実施例の要部の一使用態様を縦断して示す概略縦断面図。
【図１２】図８の実施例の要部を取り出して示す概略斜視図。
【符号の説明】
【０１０７】
１    外側袋体
２    横長胴部
３    前後面部
４    連結固定部材
５    ファスナー
６    補強材
７    貫通孔
８    空間
９    スライダ取っ手
１０  内側袋体
１１  横長胴部
１２  前後面部
１３  微通気性ファスナー
１４  貫通孔
１５  補強枠材
１６  スライダ取っ手
１７  隔膜体
２０  連結部材
２１  連結ボルト部
２２  連結孔
２３  ボルトネジ部
２４  パッキング
２５  連結ナット部
２６  接続管部材
２７  雄ネジ部
２８  出入口支持枠体
３０  中空リング体
３１  中空敷物体
３２  着脱部材
３３  着脱部材
３４  ファスナー取付袋部分
３５  支持中空体
３６  連結帯
５０  装置本体
【図１】
2009201564.tif 000003
【図２】
2009201564.tif 000004
【図３】
2009201564.tif 000005
【図４】
2009201564.tif 000006
【図５】
2009201564.tif 000007
【図６】
2009201564.tif 000008
【図７】
2009201564.tif 000009
【図８】
2009201564.tif 000010
【図９】
2009201564.tif 000011
【図１０】
2009201564.tif 000012
【図１１】
2009201564.tif 000013
【図１２】
2009201564.tif 000014